(57)【特許請求の範囲】
【請求項１】
複数本束ねた線材を束縛するものであって，
一層のテープ状に形成される熱融着性フィルムに、所定間隔でＵ字状又はＶ字状の切込みを設けて舌片を形成し、前記複数本束ねた線材にリング状に巻き付け、前記熱融着性フィルムの一端に形成される前記舌片を前記熱融着性フィルムの他端に形成される前記切込みに挿入係合し前記複数本束ねた線材を結束することを特徴とする結束バンド。
【請求項２】
複数本束ねた線材を束縛するものであって，
一層のテープ状に形成される第１の熱融着性フィルムと一層のテープ状に形成される第２の熱融着性フィルムを粘着層を介して貼り合わせてテープ状フィルムを形成し、該テープ状フィルムの前記第１の熱融着性フィルムまたは前記第２の熱融着性フィルムに、Ｕ字状又はＶ字状の切込みを所定間隔で連続して設けて舌片を形成し，
前記テープ状フィルムを前記複数本束ねた線材にリング状に巻き付け、重ね合わされる端部の一方の端部の一方の熱融着性フィルムに形成されている切込みの部分の舌片を剥がし、粘着層を露出させ、該露出した粘着層の面を前記切込みの形成されていない他方の熱融着性フィルム層に貼付することによって前記テープ状フィルムの両端部を接着して結束することを特徴とする結束バンド。
【請求項３】
前記熱融着性フィルムは、ポリエチレン、ポリプロピレン、ポリ塩化ビニル、ポリエチレンテレフタレートのいずれかを原料として構成したものである請求項１又は２に記載の結束バンド。
【請求項４】
前記熱融着性フィルムに形成する切込みは、前記熱融着性フィルム幅の３／４〜２／５に形成したものである請求項１、２、３又は４に記載の結束バンド。
【発明の詳細な説明】
【０００１】
【発明の属する技術分野】
本発明は、複数本束ねた線材に巻き付けて縛るための結束バンドに係り、特にリング状に巻いて束ねた電線束に巻き付けて結束されたバンドを途中で切断しても再結束できる結束バンドに関するものである。
【０００２】
【従来の技術】
家、ビルディング、工場等の配線にＩＶ電線やＶＶＦ電線等が使用されているが、これらの電線は保管、搬送、使用時の取扱い等の容易さから、一般にリング状に巻いて束ねた束巻き電線とした使用形態が多く採られている。
束巻き電線は、通常、図１３に示す如く電線１を一定の長さにリング状に巻き付けて束ね、適宜箇所（通常、２〜４箇所）に結束バンド２が巻き付けられて束縛されている。
この結束バンド２は、従来、図１４に示す如く、熱融着性樹脂製のフィルムをテープ状に形成して構成されている。すなわち、結束バンド２は、電線１をリング状に巻いて束巻き電線を形成した後、複数箇所（図１３においては、２箇所）に巻き付け、両端部を重ね合わせ、この重ね合わせたところを加熱して熱融着させて固定している。
【０００３】
【発明が解決しようとする課題】
このような従来の結束バンド２は、電線１をリング状に巻いて束巻き電線を形成した後、複数箇所（図１３においては、２箇所）に巻き付け、両端部を重ね合わせ、この重ね合わせたところを加熱して熱融着させて固定してあるため、束巻き電線から電線１を巻き出す場合、巻き付けてある結束バンド２をすべて切断した後、取り出している。
このように結束バンド２をナイフ等の刃物で切断して束巻き電線から電線１を必要な長さ巻き出した後、残りの束巻き電線を再度縛る場合、一端切断した結束バンド２を使用しようとすると、切断した箇所を重ね合わせ、再度熱を加えて融着しなければならず手間がかかり、きつく縛ることができないという問題を有している。
【０００４】
本発明の目的は、途中で切断した場合に、再融着しなくても簡単に再結束ができるようにすることにある。
【０００５】
【課題を解決するための手段】
上記目的を達成するため請求項１に記載の結束バンドは、複数本束ねた線材を束縛するものであって，一層のテープ状に形成される熱融着性フィルムに、所定間隔でＵ字状又はＶ字状の切込みを設けて舌片を形成し、複数本束ねた線材にリング状に巻き付け、熱融着性フィルムの一端に形成される前記舌片を熱融着性フィルムの他端に形成される切込みに挿入係合し複数本束ねた線材を結束するように構成したものである。
このように構成することにより、請求項１に記載の発明によると、結束バンドを途中で切断した場合に、再融着しなくても簡単に再結束することができる。
【０００６】
上記目的を達成するため請求項２に記載の結束バンドは、複数本束ねた線材を束縛するものであって，一層のテープ状に形成される第１の熱融着性フィルムと一層のテープ状に形成される第２の熱融着性フィルムを粘着層を介して貼り合わせてテープ状フィルムを形成し、該テープ状フィルムの前記第１の熱融着性フィルムまたは前記第２の熱融着性フィルムに、Ｕ字状又はＶ字状の切込みを所定間隔で連続して設けて舌片を形成し，
前記テープ状フィルムを前記複数本束ねた線材にリング状に巻き付け、重ね合わされる端部の一方の端部の一方の熱融着性フィルムに形成されている切込みの部分の舌片を剥がし、粘着層を露出させ、該露出した粘着層の面を前記切込みの形成されていない他方の熱融着性フィルム層に貼付することによって前記テープ状フィルムの両端部を接着して結束することを特徴とするように構成したものである。
このように構成することにより、請求項２に記載の発明によると、結束バンドを途中で切断した場合に、再融着しなくても簡単に再結束ができる。
【０００７】
上記目的を達成するため請求項３に記載の結束バンドは、熱融着性フィルムを、ポリエチレン、ポリプロピレン、ポリ塩化ビニル、ポリエチレンテレフタレートのいずれかを原料として構成したものである。
このように構成することにより、請求項３に記載の発明によると、結束バンドを容易に成形することができる。
【０００８】
上記目的を達成するため請求項４に記載の結束バンドは、熱融着性フィルムに形成する切込みを、熱融着性フィルム幅の３／４〜２／５に形成したものである。
このように構成することにより、請求項４に記載の発明によると、結束バンドを再結束した際に外れることなく、線材のばらけ力によって切れるのを防止することができる。
【０００９】
【発明の実施の形態】
以下、本発明に係る結束バンドの実施の形態について説明する。
【００１０】
図１〜図１０には、本発明に係る結束バンドの一実施の形態が示されている。
図において、３は、ＩＶ電線やＶＶＦ電線等をリング状に巻いて束ねた電線束に巻き付ける結束バンドで、熱融着性フィルムを一層に形成し、この一層に形成した熱融着性フィルムをテープ状に形成して構成されている。
この結束バンド３には、切込み４が所定間隔で連続して形成されている。この切込み４は、Ｕ字状に形成されている。この切込み４を図２に示す如く、切込み４を下方に押し込むことにより舌片５がＵ字状に形成される。この切込み４をＵ字状に形成するのは、切込み４に舌片５を係合させたときに外れ難くすることができるからである。この切込み４は、本実施の形態においては、Ｕ字状に形成してあるが、必ずしもＵ字状である必要はなく、Ｖ字状に形成してもよい。
【００１１】
この結束バンド３に形成された切込み４は、熱融着性フィルムで構成される結束バンド３の幅の３／４〜２／５に形成されている。この切込み４を熱融着性フィルムで構成される結束バンド３の幅の３／４〜２／５に形成するのは、切込み４に舌片５を係合させたときに、線材のばらけ力によって結束バンド３が切れて外れてしまわないようにするためである。
【００１２】
この結束バンド３を構成する熱融着性フィルムは、ポリエチレン（ＰＥ）、ポリプロピレン（ＰＰ）、ポリ塩化ビニル（ＰＶＣ）、ポリエチレンテレフタレート（ＰＥＴ）等が用いられる。
【００１３】
このように構成される結束バンド３は、図３に示す如く両端部を重ね合わせるようにリング状にして用いる。すなわち、図１３に示す如き束巻き電線を巻き出す際に、束巻き電線を縛る結束バンド３をナイフ等の刃物で切断し、束巻き電線から電線を必要な長さ巻き出した後、残りの束巻き電線を再度縛る場合、一旦切断した結束バンド３を用いて、残りの束巻き電線に図４に示す如く巻き付け結束バンド３の端部を重ね合わせて結束する。この結束に当たっては、まず、結束バンド３を図４に示す如く束巻き電線６に巻き付ける。そして、結束バンド３の繋ぎ合わせる箇所の両端部３Ａ、３Ｂに形成されている切込み４Ａ、４Ｂの部分を、図５に示す如く矢印Ａ、矢印Ｂに示す方向に押し込み、舌片５Ａ、５Ｂを突出せしめる。しかる後、結束バンド３の一方の端部３Ａを図５に示す如く矢印Ｃに示す如く移動し、結束バンド３の一方の端部３Ａの舌片５Ａを結束バンド３の他方の端部３Ｂの切込み４Ｂに挿入し、図６に示す如く係合する。
【００１４】
このように係合することにより結束バンド３の両端部３Ａ、３Ｂを係止し残りの束巻き電線６を結束することができる。このように結束バンド３の両端部３Ａ、３Ｂを係止して束巻き電線６を結束した場合、束巻き電線６がばらけようとする力によって結束バンド３の一方の端部３Ａは、図６の矢印Ｅに示す方向に、結束バンド３の他方の端部３Ｂは、図６の矢印Ｄに示す方向にそれぞれ引っ張られる。この場合、結束バンド３の両端部３Ａ、３Ｂは、結束バンド３の他方の端部３Ｂの切込み４Ｂに挿入された一方の端部３Ａの舌片５Ａの係合によって係止される。この場合、舌片５Ａは、引っ張り力に耐えられるだけの保形性を持つ厚さに形成されていることが必要である。したがって、図１に図示の結束バンド３を用いて束巻き電線６を結束すると、結束バンド３は、図７に示す如き状態に係止される。
【００１５】
この図１に図示の結束バンド３を用いて束巻き電線６を結束する場合には、図４に示す如く巻き付け、結束バンド３の端部３Ａ、３Ｂを上下に重ね合わせて結束する方法だけでなく、結束バンド３の端部３Ａ、３Ｂの内側を合わせて図８に示す如く結束する方法もある。この結束に当たっては、結束バンド３を図８に示す如く束巻き電線６に巻き付け、結束バンド３の両端部３Ｃ、３Ｄに形成されている切込み４Ｃ、４Ｄの部分を図９に示す如く矢印Ｆ、矢印Ｇに示す方向に押し込み、舌片５Ｃ、５Ｄを突出せしめる。しかる後、結束バンド３の一方の端部３Ｃを図９に示す如く矢印Ｈに示す如く移動すると共に、結束バンド３の他方の端部３Ｄを図９に示す如く矢印Ｉに示す如く移動する。そして、結束バンド３の一方の端部３Ｃの舌片５Ｃを結束バンド３の他方の端部３Ｄの切込み４Ｄに、結束バンド３の一方の端部３Ｄの舌片５Ｄを結束バンド３の他方の端部３Ｃの切込み４Ｃにそれぞれ挿入し、図１０に示す如く係合する。
【００１６】
このように係合することにより結束バンド３の両端部３Ｃ、３Ｄを係止し残りの束巻き電線６を結束することができる。このように結束バンド３の両端部３Ｃ、３Ｄを係止して束巻き電線６を結束した場合、束巻き電線６がばらけようとすると、結束バンド３の一方の端部３Ｃは、図１０の矢印Ｊに示す方向に、結束バンド３の他方の端部３Ｄは、図１０の矢印Ｋに示す方向にそれぞれ引っ張られる。この場合、結束バンド３の両端部３Ｃ、３Ｄは、結束バンド３の一方の端部３Ｃの切込み４Ｃに挿入された結束バンド３の他方の端部３Ｄの舌片５Ｄと、結束バンド３の他方の端部３Ｄの切込み４Ｄに挿入された結束バンド３の一方の端部３Ｃの舌片５Ｃとによって係合が保持される。この場合、舌片５Ｃ、舌片５Ｄは、引っ張り力に耐えられるだけの保形性を持つ厚さに形成されていることが必要である。したがって、図１に図示の結束バンド３を用いて束巻き電線６を結束すると、結束バンド３は、図８に示す如き状態に形成される。
このようにすることにより、一端切断した結束バンド３の両端部を重ね合わせ加熱して再融着させることなく、簡単に、かつ確実に結束することができる。
【００１７】
図１１〜図１２には、本発明に係る結束バンドの他の実施の形態が示されている。
図において、７は、ＩＶ電線やＶＶＦ電線等をリング状に巻いて束ねた電線束に巻き付ける結束バンドで、熱融着性フィルムによって形成される第１層８と熱融着性フィルムによって形成される第２層９を貼り合わせて形成され、第１層８と第２層９との間には、粘着層１０が介在されている。この粘着層１０は、ゴム系粘着剤、ホットメルト接着剤等の再接着可能なものによって構成されている。
【００１８】
この結束バンド７は、熱融着性フィルム第１層８と熱融着性フィルム第２層９を粘着層１０によって貼り合わせ、テープ状に形成して構成されている。この結束バンド７の熱融着性フィルム第１層８には、切込み１１が所定間隔で連続して形成されている。この切込み１１は、Ｕ字状に形成されており、熱融着性フィルム第１層８にだけ形成されているが、熱融着性フィルム第１層８と熱融着性フィルム第２層９に通して切込み１１を形成すると、図１に図示の結束バンド３と同一の構成となる。
この切込み１１は、図１２に示す如く、上方に剥がすことによって舌片１２がＵ字状に剥離する。この切込み１１は、本実施の形態においては、Ｕ字状に形成してあるが、必ずしもＵ字状である必要はなく、Ｖ字状に形成してもよい。
【００１９】
また、この結束バンド７の熱融着性フィルム第１層８に形成された切込み１１は、結束バンド３の熱融着性フィルム第１層８の幅の３／４〜２／５に形成されている。この切込み１１を熱融着性フィルムで構成される結束バンド３の幅の３／４〜２／５に形成するのは、切込み１１の舌片１２を剥がして粘着層１０を露出させ、この露出面によって結束バンド７の他方の端部を結束した束巻き電線６のばらけ力に抗して接着状態を保持できるようにするためである。
【００２０】
この結束バンド７を構成する熱融着性フィルム第１層８と熱融着性フィルム第２層９は、ポリエチレン（ＰＥ）、ポリプロピレン（ＰＰ）、ポリ塩化ビニル（ＰＶＣ）、ポリエチレンテレフタレート（ＰＥＴ）等が用いられる。そして、この熱融着性フィルム第１層８と熱融着性フィルム第２層９を構成する材料は、必ずしも同一のものである必要はない。
【００２１】
このように構成される結束バンド７は、図１３に示す如き束巻き電線を巻き出す際に、束巻き電線を縛る結束バンド７をナイフ等の刃物で切断し、束巻き電線から電線を必要な長さ巻き出した後、残りの束巻き電線を再度縛る場合、一旦切断した結束バンド７を用いて、残りの束巻き電線に図４に示す如く巻き付け結束バンド７の端部を重ね合わせて結束する。この結束に当たっては、結束バンド７を図４に示す如く束巻き電線６に巻き付け、切込み１１の形成されている熱融着性フィルム第１層８が上側にくるように巻き付けたときは、結束バンド７の下側にくる一方の端部に形成されている切込み１１の部分の舌片１２を図１２に示す如く剥がし、切込み１１の形成されている熱融着性フィルム第１層８が下側にくるように巻き付けたときは、結束バンド７の下側にくる一方の端部に形成されている切込み１１の部分の舌片１２を図１２に示す如く剥がし、それぞれ粘着層１０を露出させる。そして、露出した粘着層１面を熱融着性フィルム第１層９に貼付する。これによって結束バンド７の両端部を接着して結束する。
このようにすることにより、一旦切断した結束バンド３の両端部を重ね合わせ加熱して再融着させることなく、簡単に、かつ確実に結束することができる。
【００２２】
【発明の効果】
本発明は、以上説明したように構成されているので、以下に記載されるような効果を奏する。
【００２３】
請求項１に記載の発明によれば、結束バンドを途中で切断した場合に、再融着しなくても簡単に再結束することができる。
【００２４】
請求項２に記載の発明によれば、結束バンドを途中で切断した場合に、再融着しなくても簡単に再結束することができる。
【００２５】
請求項３に記載の発明によれば、結束バンドを容易に成形することができる。
【００２６】
請求項４に記載の発明によれば、結束バンドを再結束した際に外れることなく、線材のばらけ力によって切れるのを防止することができる。
【図面の簡単な説明】
【図１】本発明に係る結束バンドの一実施の形態を示す斜視図である。
【図２】図１に図示の結束バンドの舌片を突出させる方法を示す図である。
【図３】図１に図示の結束バンドの結束方法を示す図である。
【図４】図３に図示の結束バンドを束巻き電線に巻き付けた状態を示す図である。
【図５】図４に図示の結束バンドによる束巻き電線の結束手順を示す図である。
【図６】図４に図示の結束バンドの両端を係合した状態を示す図である。
【図７】図１に図示の結束バンドによる結束状態を示す図である。
【図８】図３に図示の結束バンドを束巻き電線に巻き付けた他の状態を示す図である。
【図９】図８に図示の結束バンドによる束巻き電線の結束手順を示す図である。
【図１０】図８に図示の結束バンドの両端を係合した状態を示す図である。
【図１１】本発明に係る結束バンドの他の実施の形態を示す斜視図である。
【図１２】図１１に図示の結束バンドの粘着層を露出させる方法を示す図である。
【図１３】従来の電線ケーブル束に用いられた結束バンドを示す図である。
【図１４】図１３に図示の結束バンドを示す斜視図である。
【符号の説明】
３…………………結束バンド
４…………………切込み
５…………………舌片
６…………………束巻き電線
７…………………結束バンド
８…………………熱融着性フィルム第１層
９…………………熱融着性フィルム第２層
１０………………粘着層
１１………………切込み
１２………………舌片
【図１】
0003627039.tif 000002
【図２】
0003627039.tif 000003
【図３】
0003627039.tif 000004
【図４】
0003627039.tif 000005
【図５】
0003627039.tif 000006
【図６】
0003627039.tif 000007
【図７】
0003627039.tif 000008
【図８】
0003627039.tif 000009
【図９】
0003627039.tif 000010
【図１０】
0003627039.tif 000011
【図１１】
0003627039.tif 000012
【図１２】
0003627039.tif 000013
【図１３】
0003627039.tif 000014
【図１４】
0003627039.tif 000015